(57)【特許請求の範囲】
【請求項１】
無線通信システムにおけるソース基地局（ＢＳ）でのハンドオーバーをサポートする方法であって、
ハンドオーバー命令（ＨＯ−ＣＭＤ）メッセージを端末（ＭＳ）に送信するステップを有し、
前記ハンドオーバー命令メッセージは、ターゲット基地局が前記端末に割り当てられたレンジングチャネル（ＲＣＨ）のレンジングチャネルインデックス及び前記割り当てられたレンジングチャネルのサブフレームインデックスを含み、
前記割り当てられたレンジングチャネルのレンジングチャネルインデックスは、前記ターゲット基地局の他のレンジングチャネルのインデックスとオーバーラップしないことを特徴とするソース基地局でのハンドオーバーをサポートする方法。
【請求項２】
前記割り当てられたレンジングチャネルのレンジングチャネルインデックス及びサブフレームインデックスを含むハンドオーバー応答（ＨＯ−ＲＳＰ）メッセージを前記ターゲット基地局から受信するステップをさらに有することを特徴とする請求項１に記載のソース基地局でのハンドオーバーをサポートする方法。
【請求項３】
前記ハンドオーバー命令メッセージは、前記レンジングチャネルが含まれるフレームのフレームインデックスをさらに有することを特徴とする請求項１に記載のソース基地局でのハンドオーバーをサポートする方法。
【請求項４】
前記レンジングチャネルインデックス、サブフレームインデックス、及びフレームインデックスを含むハンドオーバー応答（ＨＯ−ＲＳＰ）メッセージを前記ターゲット基地局から受信するステップをさらに有することを特徴とする請求項３に記載のソース基地局でのハンドオーバーをサポートする方法。
【請求項５】
無線通信システムにおけるターゲット基地局（ＢＳ）でのハンドオーバーをサポートする方法であって、
ハンドオーバー応答（ＨＯ−ＲＳＰ）メッセージをソース基地局に送信するステップを有し、
前記ハンドオーバー応答メッセージは、前記ターゲット基地局が端末（ＭＳ）に割り当てられたレンジングチャネルのレンジングチャネル（ＲＣＨ）インデックス及び前記割り当てられたレンジングチャネルのサブフレームインデックスを含み、
前記割り当てられたレンジングチャネルのレンジングチャネルインデックスは、前記ターゲット基地局の他のレンジングチャネルのインデックスとオーバーラップしないことを特徴とするターゲット基地局でのハンドオーバーをサポートする方法。
【請求項６】
前記ターゲット基地局への前記端末のハンドオーバーを示すハンドオーバー要請（ＨＯ−ＲＥＱ）メッセージを前記ソース基地局から受信する場合に、前記レンジングチャネルを前記端末に割り当てるステップをさらに有することを特徴とする請求項５に記載のターゲット基地局でのハンドオーバーをサポートする方法。
【請求項７】
前記ハンドオーバー応答メッセージは、前記レンジングチャネルが含まれるフレームのフレームインデックスをさらに有することを特徴とする請求項５に記載のターゲット基地局でのハンドオーバーをサポートする方法。
【請求項８】
前記端末の前記ターゲット基地局へのハンドオーバーを示すハンドオーバー要請（ＨＯ−ＲＥＱ）メッセージを前記ソース基地局から受信する場合に、前記レンジングチャネルを前記端末に割り当てるステップをさらに有することを特徴とする請求項７に記載のターゲット基地局でのハンドオーバーをサポートする方法。
【請求項９】
無線通信システムにおける端末（ＭＳ）でのハンドオーバーを実行する方法であって、
ハンドオーバー命令（ＨＯ−ＣＭＤ）メッセージをサービング基地局（ＢＳ）から受信するステップを有し、
前記ハンドオーバー命令メッセージは、ターゲット基地局が前記端末に割り当てたレンジングチャネルのレンジングチャネル（ＲＣＨ）インデックス及び前記割り当てられたレンジングチャネルのサブフレームインデックスを含み、
前記割り当てられたレンジングチャネルのレンジングチャネルインデックスは、前記ターゲット基地局の他のレンジングチャネルのインデックスとオーバーラップしないことを特徴とする端末でのハンドオーバーを実行する方法。
【請求項１０】
前記ハンドオーバー命令メッセージを受信する前にハンドオーバー要請（ＨＯ−ＲＥＱ）メッセージを前記サービング基地局に送信するステップをさらに有することを特徴とする請求項９に記載の端末でのハンドオーバーを実行する方法。
【請求項１１】
前記ハンドオーバー命令メッセージは、前記レンジングチャネルが含まれるフレームのフレームインデックスをさらに有することを特徴とする請求項９に記載の端末でのハンドオーバーを実行する方法。
【請求項１２】
前記ハンドオーバー命令メッセージを受信する前にハンドオーバー要請（ＨＯ−ＲＥＱ）メッセージを前記サービング基地局に送信するステップをさらに有することを特徴とする請求項１１に記載の端末でのハンドオーバーを実行する方法。
【請求項１３】
請求項１乃至請求項４のうちのいずれか１つの方法を実行することを特徴とするソース基地局。
【請求項１４】
請求項５乃至請求項８のうちのいずれか１つの方法を実行することを特徴とするターゲット基地局。
【請求項１５】
請求項９乃至請求項１２のうちのいずれか１つの方法を実行することを特徴とする端末。
【発明の詳細な説明】
【技術分野】
【０００１】
本発明は、無線通信システムに関し、より詳細には、レンジングチャネルを割り当てる方法及び装置に関する。
【背景技術】
【０００２】
無線通信システムにおいて、基地局（Base Station：ＢＳ）と端末（Mobile Station：ＭＳ）との間の通信のために基本的な制御チャネルが使用される。基本的な制御チャネルは、システム同期化のために必要とされる情報を伝達するためのダウンリンクプリアンブルチャネルと、システム情報を伝達するためのダウンリンクブロードキャストチャネルと、ＭＳがネットワークに進入するために使用される情報を提供するためのアップリンクレンジングチャネル（Ranging CHannel：ＲＣＨ）とを含む。
【０００３】
レンジングは、基地局と端末との間の正確な時間オフセットを周期的に合せて電力を調整する過程である。例えば、端末は、ネットワーク進入の間にレンジングを実行する。ＲＣＨは、レンジングを実行するのに必要とされる情報を運搬する。一般的には、ＲＣＨが周期的に割り当てられるが、付加のＲＣＨは、多くの端末がネットワークに進入すると予想される場合に動的に割り当てられることもできる。
【０００４】
図１は、従来技術による無線通信システムにおけるハンドオーバーを仮定する場合のレンジングチャネルが割り当てられるフレーム構造を示す図である。
【０００５】
具体的に、図１の（ａ）は、サービス中である基地局（ＢＳ  Ａ）のフレーム構造を示し、図１の（ｂ）は、ハンドオーバー中である端末をサービスしている他の基地局（ＢＳ  Ｂ）のフレーム構造を示す。参照符号１０１及び１２１は、それぞれ基地局Ａ、基地局Ｂのダウンリンクフレームを示し、参照符号１０３及び１２３は、それぞれ基地局Ａ及び基地局Ｂのアップリンクフレームを示す。
【０００６】
図１を参照すると、基地局Ａは、周期的なＲＣＨの割り当てのためにブロードキャストチャネルであるスーパーフレームヘッダー（Super Frame Header：ＳＦＨ）１０５を用いてＲＣＨ１１３をアップリンクフレーム１０３に割り当てる。また、基地局Ａが付加のＲＣＨを動的に割り当てる必要があると判定する場合には、基地局Ａは、動的リソース割り当て情報を含むＭＡＰ１０９及び１１１を使用してＲＣＨ１１７及び１１９をアップリンクフレーム１０３に割り当てることができる。
【０００７】
ＲＣＨ１１７及び１１９を動的に割り当てるＭＡＰ１０９及び１１１は、すべてのユーザがアクセスすることができ、ＲＣＨ１１７及び１１９は、すべてのユーザが使用することができる。
【０００８】
一方、ハンドオーバーのような状況において、基地局Ａは、特定のＲＣＨを特定の端末に割り当てることができる。端末が基地局Ｂから基地局Ａ（すなわち、ターゲット基地局）へのハンドオーバーを実行しようとする場合に、基地局Ｂは、特定のメッセージ、例えば、ハンドオーバー命令（HandOver CoMmanD：ＨＯ−ＣＭＤ）メッセージ１０７をユニキャスト方式で端末に送信することにより、基地局Ａ内で使用可能なＲＣＨ１１５を端末に割り当てることができる。ＲＣＨ１１５は、基地局Ａとの交渉を介して又は上位制御器の制御の下に決定される。
【０００９】
しかしながら、ＨＯ−ＣＭＤメッセージ１０７は、ユニキャスト方式で転送されるので、基地局Ａ内の他のすべての端末は、ハンドオーバー中である端末に割り当てられたＲＣＨ１１５に関連した情報を受信することができない。
【００１０】
図１の場合において、４個のＲＣＨ１１３、１１５、１１７、及び１１９がある。一般的に、ＲＣＨ１１３、１１５、１１７、及び１１９は、周波数順序又は時間順序に従って０から３まで順次にインデキシングされる。ＲＣＨインデキシングは、基地局及び端末の割り当て情報に従って基地局及び端末のそれぞれにより個々に実行され、これらの間でシグナリングされない。
【００１１】
基地局Ａ内の他のすべての端末は、ハンドオーバー命令（ＨＯ−ＣＭＤ）メッセージのようにユニキャスト方式で送信されたメッセージにより割り当てられたＲＣＨ１１５の割り当て情報について認識することができないので、ＲＣＨ１１３、１１７、及び１１９を０から２まで順次にインデキシングする。他方、基地局Ａは、ＲＣＨ１１３、１１５、１１７、及び１１９を０から３まで順次にインデキシングする。すなわち、基地局Ａ及び他のすべての端末は、ＲＣＨの番号を相互に異なって割り当てるので、ＲＣＨを相互に異なって識別する誤動作が発生し得る。
【発明の概要】
【発明が解決しようとする課題】
【００１２】
本発明の目的は、少なくとも上述した問題点及び／又は不都合に取り組み、少なくとも以下の便宜を提供することにある。すなわち、本発明の目的は、無線通信システムにおけるハンドオーバーを実行する方法及び装置を提供することにある。
【００１３】
本発明の他の目的は、無線通信システムにおけるレンジングチャネル（ＲＣＨ）を割り当てる方法及び装置を提供することにある。
【００１４】
本発明のまた他の目的は、ＲＣＨが動的に割り当てられる場合に、無線通信システムにおける同一のインデックスを用いて基地局（ＢＳ）及び端末（ＭＳ）がＲＣＨを識別することができるようにする方法及び装置を提供することにある。
【００１５】
本発明のさらにまた他の目的は、無線通信システムにおけるＲＣＨが端末に動的に割り当てられる場合に、端末が割り当てられたＲＣＨの位置に関する情報をチェックすることにより正しいＲＣＨを使用するか否かを確認することができるようにする方法及び装置を提供することにある。
【００１６】
本発明のさらなる他の目的は、無線通信システムにおける基地局がＲＣＨの割り当て過程で使用されるメッセージの形式を提供することにある。
【００１７】
本発明の他の目的、効果、及び顕著な特徴は、添付図面が併用される本発明の実施形態を開示する後述の詳細な説明から、当業者にとって一層明らかになる。
【課題を解決するための手段】
【００１８】
上記のような目的を達成するために、本発明の実施形態の一態様によれば、無線通信システムにおけるソース基地局（ＢＳ）でのハンドオーバーをサポートする方法を提供する。上記方法は、ハンドオーバー命令（ＨＯ−ＣＭＤ）メッセージを端末（ＭＳ）に送信するステップを有し、上記ハンドオーバー命令メッセージは、ターゲット基地局が上記端末に割り当てられたレンジングチャネル（ＲＣＨ）のレンジングチャネルインデックス及び上記割り当てられたレンジングチャネルのサブフレームインデックスを含み、上記割り当てられたレンジングチャネルのレンジングチャネルインデックスは、上記ターゲット基地局の他のレンジングチャネルのインデックスとオーバーラップしないことを特徴とする。
【００１９】
本発明の実施形態の他の態様によれば、無線通信システムにおけるターゲット基地局（ＢＳ）でのハンドオーバーをサポートする方法を提供する。上記方法は、ハンドオーバー応答（ＨＯ−ＲＳＰ）メッセージをソース基地局に送信するステップを有し、上記ハンドオーバー応答メッセージは、上記ターゲット基地局が端末（ＭＳ）に割り当てられたレンジングチャネルのレンジングチャネル（ＲＣＨ）インデックス及び上記割り当てられたレンジングチャネルのサブフレームインデックスを含み、上記割り当てられたレンジングチャネルのレンジングチャネルインデックスは、上記ターゲット基地局の他のレンジングチャネルのインデックスとオーバーラップしないことを特徴とする。
【００２０】
本発明の実施形態のさらに他の態様によれば、無線通信システムにおける端末（ＭＳ）でのハンドオーバーを実行する方法を提供する。上記方法は、ハンドオーバー命令（ＨＯ−ＣＭＤ）メッセージをサービング基地局（ＢＳ）から受信するステップを有し、上記ハンドオーバー命令メッセージは、ターゲット基地局が上記端末に割り当てたレンジングチャネルのレンジングチャネル（ＲＣＨ）インデックス及び上記割り当てられたレンジングチャネルのサブフレームインデックスを含み、上記割り当てられたレンジングチャネルのレンジングチャネルインデックスは、上記ターゲット基地局の他のレンジングチャネルのインデックスとオーバーラップしないことを特徴とする。
【００２１】
本発明の実施形態のさらなる他の態様によれば、無線通信システムにおけるソース基地局を提供する。上記システムは、ハンドオーバー命令メッセージを端末に送信する送信部を含む。上記ハンドオーバー命令メッセージは、ターゲット基地局により上記端末に割り当てられたレンジングチャネルのレンジングチャネルインデックスと上記割り当てられたレンジングチャネルのサブフレームインデックスとを含み、上記割り当てられたレンジングチャネルのレンジングチャネルインデックスは、上記ターゲット基地局の他のレンジングチャネルのインデックスとオーバーラップしない。
【００２２】
本発明の実施形態のさらに他の１つの態様によれば、無線通信システムにおけるターゲット基地局を提供する。上記システムは、ハンドオーバー応答メッセージをソース基地局に送信する送信部を含む。上記ハンドオーバー応答メッセージは、上記ターゲット基地局により上記端末に割り当てられたレンジングチャネルのレンジングチャネルインデックスと上記割り当てられたレンジングチャネルのサブフレームインデックスとを含み、上記割り当てられたレンジングチャネルのレンジングチャネルインデックスは、上記ターゲット基地局の他のレンジングチャネルのインデックスとオーバーラップしない。
【００２３】
本発明の実施形態のさらにその他の態様によれば、無線通信システムにおける端末を提供する。上記システムは、ハンドオーバー応答メッセージをサービング基地局から受信する受信部を含む。上記ハンドオーバー応答メッセージは、ターゲット基地局により上記端末に割り当てられたレンジングチャネルのレンジングチャネルインデックスと上記割り当てられたレンジングチャネルのサブフレームインデックスとを含み、上記割り当てられたレンジングチャネルのレンジングチャネルインデックスは、上記ターゲット基地局の他のレンジングチャネルのインデックスとオーバーラップしない。
【発明の効果】
【００２４】
基地局が動的に割り当てられたレンジングチャネルのインデックスを既存のレンジングチャネルのインデックスとオーバーラップしないように割り当てるので、基地局と端末との間のレンジングチャネルインデックス衝突による誤動作を防止することができる。
【００２５】
また、基地局がレンジングコードを端末から受信する時に、レンジングチャネルを介して受信したか否かを端末に通知することにより、端末は、自身に割り当てられたＲＣＨの位置に関する情報を確認することができるので、誤ったＲＣＨの使用による誤動作なしにレンジング手順を完了することができる。
【００２６】
本発明の実施形態の上述した及び他の様相、特徴、及び利点は、以下の添付図面が併用された後述の詳細な説明から、より一層明らかになるだろう。
【図面の簡単な説明】
【００２７】
【図１】従来技術による無線通信システムにおけるハンドオーバーの場合のレンジングチャネル（ＲＣＨ）が割り当てられるフレーム構造を示す図である。
【図２】本発明の実施形態による無線通信システムにおける動的ＲＣＨが割り当てられるフレーム構造を示す図である。
【図３】本発明の実施形態による無線通信システムにおける端末（ＭＳ）が基地局（ＢＳ）への進入を試みる場合の信号フローを示す図である。
【図４】本発明の実施形態による無線通信システムにおける基地局のＲＣＨ割り当て方法を示すフローチャートである。
【図５】本発明の実施形態による無線通信システムにおける基地局のＲＣＨ割り当て方法を示すフローチャートである。
【図６】本発明の実施形態による無線通信システムにおける基地局が他の基地局からレンジング割り当てメッセージを受信する場合のＲＣＨ割り当て方法を示すフローチャートである。
【図７】本発明の実施形態によるハンドオーバー試みの間における端末と基地局との間の信号フローを示す図である。
【発明を実施するための形態】
【００２８】
図面中、同一の図面参照符号は、同一の構成要素、特性、及び構造を意味することが分かるはずである。
【００２９】
添付の図面を参照した下記の説明は、特許請求の範囲の記載及びこれと均等なものの範囲内で定められるような本発明の実施形態の包括的な理解を助けるために提供するものであり、この理解を助けるために様々な特定の詳細を含むが、唯一つの実施形態に過ぎない。従って、本発明の範囲及び趣旨を逸脱することなく、ここに説明する実施形態の様々な変更及び修正が可能あるということは、当該技術分野における通常の知識を有する者には明らかである。また、明瞭性と簡潔性の観点から、当業者に良く知られている機能や構成に関する具体的な説明は、省略する。
【００３０】
次の説明及び請求項に使用する用語及び単語は、辞典的意味に限定されるものではなく、発明者により本発明の理解を明確且つ一貫性があるようにするために使用する。従って、特許請求の範囲とこれと均等なものに基づいて定義されるものであり、本発明の実施形態の説明が単に実例を提供するためのものであって、本発明の目的を限定するものでないことは、本発明の技術分野における通常の知識を持つ者には明らかである。
【００３１】
英文明細書に記載の“ａ”、“ａｎ”、及び“ｔｈｅ”、すなわち単数形は、コンテキスト中に特記で明示されない限り、複数形を含むことは、当業者にはわかることである。したがって、例えば、“コンポーネント表面（a  component  surface）”との記載は、１つ又は複数の表面を含む。
【００３２】
以下では、ＩＥＥＥ（Institute of Electrical and Electronics Engineers）８０２．１６ｍシステムという特徴的な例を挙げて説明することができる。しかしながら、本発明の望ましい実施形態がレンジングチャネル（ＲＣＨ）の割り当てを必要とするすべての無線通信システムに適用することができることはもちろんである。
【００３３】
図２は、本発明の実施形態による無線通信システムにおける動的ＲＣＨが割り当てられるフレーム構造を示す図である。図２の（ａ）は、基地局（Base Station：ＢＳ）Ａのフレーム構造を示す。図２の（ｂ）は、基地局Ａへのハンドオーバーを試みている端末（Mobile Station：ＭＳ）をサービスしている基地局Ｂのフレーム構造を示す。参照符号２０１及び２０５は、基地局Ａ及び基地局Ｂのダウンリンクフレームをそれぞれ示し、参照符号２０３及び２０７は、基地局Ａ及び基地局Ｂのアップリンクフレームをそれぞれ示す。
【００３４】
図２を参照すると、フレームは、基地局により使用されるリソース割り当て単位である。複数のフレームは、図２に示すように、周波数及び時間により識別され、基地局に使用可能なリソースの一部分を示す。
【００３５】
基地局Ａは、周期的なＲＣＨ割り当てのためにブロードキャストチャネルであるスーパーフレームヘッダー（ＳＦＨ）２０９を使用してＲＣＨ２２１をアップリンクフレーム２０３に割り当てる。多くのＭＳが基地局Ａを進入するものと予想される場合には、基地局Ａは、ＭＡＰ２１１及び２１３を使用してＲＣＨ２２３及び２２５を割り当てることができる。ＲＣＨ２２１、２２３、及び２２５がブロードキャスト方式でＳＦＨ２０９及びＭＡＰ２１１、２１３により割り当てられるために、基地局Ａのサービス領域内のいずれのＭＳも、ＲＣＨ２２１、２２３、及び２２５に関する割り当て情報を取得することができ、ＲＣＨ２２１、２２３、及び２２５を使用することができる。
【００３６】
基地局Ａは、ユニキャスト方式でＲＣＨ２２７、２２９、及び２３１を特定の端末に割り当てることもできる。ユニキャスト方式のＲＣＨ割り当ては、ユニキャストメッセージで割り当てられたＲＣＨに関する情報の送信を意味する。基地局ＡがＲＣＨ２２９を基地局Ａのサービスエリア内で動作している端末に割り当てる場合及び基地局Ａがハンドオーバーのような原因により基地局Ｂを介して基地局Ａに進入する端末にＲＣＨ２２７及び２３１を割り当てる場合に、ユニキャストＲＣＨ割り当てが実行されることができる。例えば、周期的なレンジング手順、隣接基地局の測定などの目的のために専用（dedicated）ＲＣＨを基地局Ａ内の特定の端末に割り当てる必要がある場合には、専用ＲＣＨは、ユニキャスト方式で割り当てられることができる。
【００３７】
基地局Ａがユニキャスト方式でＲＣＨをアップリンクフレーム２０３に割り当てる場合に、基地局Ａは、識別のためにＲＣＨインデックスをＲＣＨに割り当てる。ＲＣＨに割り当てられたＲＣＨインデックスは、アップリンクフレーム２０３内の既存のＲＣＨのインデックスとオーバーラップしないように割り当てる。したがって、基地局Ａ及び基地局Ａ内の端末は、ユニキャスト方式で割り当てられたＲＣＨを同一のインデックスを用いて識別することができる。
【００３８】
例えば、基地局Ａは、アップリンクフレーム内のブロードキャスト方式で割り当てられたＲＣＨの総数（Ｎは、０以上の整数）以上のインデックスをユニキャスト方式で割り当てられたＲＣＨに割り当てることができる。すなわち、３個のＲＣＨ２２１、２２３、及び２２５がブロードキャスト方式で割り当てられたＲＣＨである場合に、これらは、０、１、及び２に順次にインデキシングされる。このインデックスとオーバーラップしないようにするために、基地局Ａは、３回以上のインデックスをユニキャスト方式で割り当てられたＲＣＨに常に割り当てる。したがって、基地局ＡがＲＣＨ２２７、２２９、及び２３１を割り当てる場合には、基地局Ａは、参照符号２１７、２１９、及び２１５で示されるインデックス３、４、及び５をＲＣＨ２２７、２２９、及び２３１のそれぞれに直接割り当てることができる。
【００３９】
基地局Ａは、アップリンクフレーム２０３内の既存のＲＣＨのインデックスのうちのもっとも大きい値Ｍ（Ｍは、０以上の整数）を計算し、（Ｍ＋１）以上のインデックスを各ユニキャスト方式で割り当てられたＲＣＨに直接割り当てることもできる。すなわち、３個のＲＣＨ２２１、２２３、及び２２５は、ブロードキャスト方式で割り当てられたＲＣＨであり、順次なインデックス０、１、及び２を有する。このインデックスとオーバーラップしないようにするために、基地局Ａは、既存のＲＣＨインデックスのうちのもっとも大きい値２に１を加算することにより３以上のインデックスをＲＣＨに割り当てる。したがって、基地局ＡがＲＣＨ２２７、２２９、及び２３１を割り当てる場合には、基地局Ａは、インデックス３、４、及び５をＲＣＨ２２７、２２９、及び２３１のそれぞれに直接割り当てることができる。選択的に、既存のＲＣＨインデックスのうちのもっとも大きい値は、インデックスの開始番号から１を引いた値に既存のＲＣＨの個数を付加することにより計算することができる。
【００４０】
図３は、本発明の実施形態による無線通信システムにおける端末が基地局への進入を試みる場合の信号フローを示す図である。
【００４１】
図３を参照すると、端末３０１は、ステップ３０５において、同期信号（すなわち、プリアンブルチャネル）を基地局３０３から受信することにより基地局３０３との同期を合わせる。
【００４２】
ステップ３０７において、基地局３０３は、ＲＣＨを端末３０１に割り当て、端末３０１は、ネットワーク進入のために端末に使用可能な少なくとも１つのレンジングコードに関する情報と、割り当てられたＲＣＨの位置に関する情報（すなわち、ＲＣＨのフレーム番号及び／又はサブフレーム番号）と、ＲＣＨのインデックスを含むメッセージを基地局３０３から受信する。この時に、このメッセージは、ブロードキャストチャネルを介して端末３０１に送信されることもでき、又はユニキャストで端末３０１に送信されることもできる。
【００４３】
端末３０１は、レンジングコード情報を受信し、使用可能なレンジングコードを選択し、ステップ３０９において、受信したＲＣＨの位置情報に従うＲＣＨでこの選択されたレンジングコード情報を基地局３０３に送信する。
【００４４】
基地局３０３は、ステップ３１１において、端末３０１のネットワーク進入がレンジング応答（Ranging Response：ＲＮＧ−ＲＳＰ）又はレンジング確認（Ranging Acknowledgement：ＲＮＧ−ＡＣＫ）メッセージを端末３０１に送信することにより受諾されたか否かを通知する。基地局３０３は、複数のＲＣＨをネットワークに進入する新たな端末に割り当てることができる。したがって、ＲＮＧ−ＲＳＰ（又はＲＮＧ−ＡＣＫ）メッセージを端末に送信する時に、基地局３０３は、レンジングコードがどのＲＣＨから受信されたかに関する情報（すなわち、ＲＣＨのフレーム番号及び／又はサブフレーム番号と、そのフレーム内のＲＣＨのインデックスを示す情報）とＲＮＧ−ＲＳＰ（又はＲＮＧ−ＡＣＫ）メッセージ内の受信されたレンジングコードに関する情報とを含む。
【００４５】
上述したように、基地局Ａが使用可能なレンジングコードに関する情報とともに端末に割り当てられたＲＣＨの位置に関する情報（すなわち、ＲＣＨのフレーム番号、サブフレーム番号、及びインデックス）を端末に送信する場合に、端末は、ＲＣＨでレンジングコードを送信し、ＲＮＧ−ＲＳＰ（又はＲＮＧ−ＡＣＫ）メッセージを基地局Ａから受信する。ＲＮＧ−ＲＳＰ（又はＲＮＧ−ＡＣＫ）メッセージが端末により使用されたＲＣＨ（ＭＳが使用したＲＣＨのインデックス）を示すので、端末の誤動作を防止することができる。
【００４６】
以下、ハンドオーバー命令（ＨＯ−ＣＭＤ）メッセージを用いてユニキャスト方式でＲＣＨ２２７及び２３１が割り当てられる場合の例について説明する。
【００４７】
ＲＣＨ２２７又は２３１は、他の基地局（基地局Ｂ）で動作（サービスを受信）しつつ、現在の基地局（ターゲット基地局、基地局Ａ）へのハンドオーバーを試みている端末にユニキャスト方式で割り当てられる。端末が基地局Ｂの弱い信号強度のためにハンドオーバー要請（ＨＯ−ＲＥＱ）メッセージを基地局Ｂに送信する場合に、基地局Ｂは、端末が基地局Ａへのハンドオーバーを実行することを基地局Ａに通知する。基地局Ａが端末のハンドオーバーを受諾する場合に、基地局Ａは、ハンドオーバーを受諾するＡＣＫメッセージとともに、ＲＣＨをＭＳに割り当て、既存のＲＣＨのインデックスとオーバーラップしないＲＣＨのインデックスを割り当て、この割り当てられたＲＣＨ及びＲＣＨインデックスを基地局Ｂに通知する。基地局Ｂは、ハンドオーバー命令（ＨＯ−ＣＭＤ）メッセージを送信しつつ基地局Ａから受信したＲＣＨの位置に関する情報及びＲＣＨのインデックスをＭＳに送信する。ＨＯ−ＣＭＤメッセージを受信した端末は、基地局Ａへのネットワーク進入の間にＨＯ−ＣＭＤメッセージで示されるＲＣＨインデックスを用いて割り当てられたＲＣＨを通してレンジングコードを送信する。ＲＮＧ−ＲＳＰ（又はＲＮＧ−ＡＣＫ）メッセージを基地局Ａから受信した後に、端末は、ＨＯ−ＣＭＤメッセージで示されるＲＣＨインデックスをＲＮＧ−ＲＳＰ（又はＲＮＧ−ＡＣＫ）メッセージで示されるＲＣＨインデックスと比較し、したがって、この比較に従って、このレンジングコードの基地局Ａへの送信に成功したか否かを判定する。
【００４８】
表１は、本発明の実施形態に従うＲＮＧ−ＲＳＰ（又はＲＮＧ−ＡＣＫ）メッセージ及びＨＯ−ＣＭＤメッセージのフォーマットを示す。
【００４９】
【表１】
0005610653.tif 000002
【００５０】
表１の属性は、基地局内で動作する端末にユニキャストで伝達するメッセージ（例えば、ＲＮＧ−ＡＣＫメッセージ）又は他の基地局が他の基地局内で動作する端末に送信するメッセージ（例えば、ＨＯ−ＣＭＤメッセージ）に追加で含まれなければならないフィールドを示す。
【００５１】
フレームインデックス及びサブフレームインデックスは、割り当てられたＲＣＨの位置を示し、レンジングオポチュニティ（Ranging Opportunity）インデックスは、ＲＣＨのインデックスを示す。
【００５２】
図４は、本発明の実施形態による無線通信システムにおける基地局のＲＣＨ割り当て方法を示すフローチャートである。
【００５３】
図４を参照すると、基地局が特定のＲＣＨを特定の端末に割り当てようとする場合に、例えば、特定の端末が非競争ベースの方法でレンジングを実行するか又は他の基地局へのハンドオーバーを要請する場合に、基地局は、ステップ４０１において、ユニキャスト方式でＲＣＨを端末に割り当てる。
【００５４】
ステップ４０３において、基地局は、ＲＣＨインデックスが基地局のアップリンクフレーム内の既存のＲＣＨのインデックスとオーバーラップしないように割り当てられたＲＣＨにインデックスを割り当てる。
【００５５】
その後に、基地局は、ステップ４０５において、割り当てられたＲＣＨインデックスを含むＲＣＨ割り当てのためのメッセージを特定の端末又はハンドオーバーを要請する特定の端末をサービスしている他の基地局に送信する。
【００５６】
選択的に、このメッセージは、レンジング割り当てメッセージであってもよい。このメッセージは、端末に使用可能なレンジングコードに関する情報と、割り当てられたＲＣＨのフレーム番号及びサブフレーム番号をさらに含むことができる。このレンジング割り当てメッセージは、例えば、ハンドオーバー応答（ＨＯ−ＲＳＰ）メッセージであることができる。
【００５７】
図５は、本発明の実施形態による無線通信システムにおける基地局のＲＣＨ割り当て方法を示すフローチャートである。
【００５８】
図５を参照すると、基地局が特定のＲＣＨを特定の端末に割り当てようとする場合に、例えば、特定の端末が非競争ベースの方法でレンジングを実行するか又は他の基地局へのハンドオーバーを要請する場合に、基地局は、ステップ４０１において、ユニキャスト方式でＲＣＨを端末に割り当てる。基地局は、他の基地局のサービス領域内の端末のハンドオーバー要請を他の基地局からのＨＯ−ＲＥＱメッセージを受信することにより認識することができる。ステップ４０３において、基地局は、ＲＣＨインデックスが基地局のアップリンクフレーム内の既存のＲＣＨのインデックスとオーバーラップしないように割り当てられたＲＣＨにインデックスを割り当てる。
【００５９】
基地局は、ステップ５０１において、端末が他の基地局で動作しているか否か、すなわち、ハンドオーバーを要請したか否かを判定する。端末が他の基地局で動作している場合には、基地局は、ステップ５０３において、ＲＣＨインデックスを含むメッセージを他の基地局に送信することにより、他の基地局が端末に割り当てられたＲＣＨインデックスを含むメッセージ（選択的に、ＨＯ−ＣＭＤメッセージ）を送信することができるようにする。一方、端末が基地局のサービス領域内で動作している場合に、基地局は、ステップ５０５において、この割り当てられたＲＣＨインデックスを含むメッセージ（選択的に、レンジング割り当てメッセージ）を端末に送信する。
【００６０】
ＲＣＨインデックスを有するメッセージは、端末に使用可能なレンジングコードに関する情報と割り当てられたＲＣＨのフレームインデックス及びサブフレームインデックスとをさらに含んでもよい。
【００６１】
図６は、本発明の実施形態による無線通信システムにおける基地局が他の基地局からレンジング割り当てメッセージを受信する場合のＲＣＨ割り当て方法を示すフローチャートである。
【００６２】
図５を参照して上述したように、基地局は、ハンドオーバーを要請する端末をサービスしている他の基地局にレンジング割り当てメッセージを送信する場合もある。図６は、基地局がこのようなレンジング割り当てメッセージを受信する場合の動作を説明する。
【００６３】
図６を参照すると、ステップ６０１において、基地局がＲＣＨインデックスを含むメッセージを他の基地局から受信する場合に、基地局は、ステップ６０３において、ＲＣＨインデックスを含むメッセージをＲＣＨインデックスが割り当てられた端末に送信する。ＲＣＨインデックスを含むメッセージは、ＨＯ−ＣＭＤメッセージであることができる。
【００６４】
選択的に、ＲＣＨインデックスを有するメッセージは、端末に使用可能なレンジングコードに関する情報と、割り当てられたＲＣＨのフレームインデックス及びサブフレームインデックスとをさらに含むことができる。
【００６５】
図４、図５、及び図６に示すように、ＭＳがユニキャスト方式で割り当てられたＲＣＨのインデックスを含むメッセージを受信するので、誤ったＲＣＨを使用する誤動作を防止することができる。
【００６６】
図７は、本発明の実施形態によるハンドオーバー試みの間の端末と基地局との間の信号フローを示す図である。
【００６７】
図７を参照すると、端末７０５がソース基地局７０３からターゲット基地局７０１へのハンドオーバーを試みる場合に、ソース基地局７０３は、端末７０５のハンドオーバーをターゲット基地局７０１に通知する。その後に、ターゲット基地局７０１は、ユニキャスト方式でＲＣＨを端末７０５に割り当て、ＲＣＨインデックスがターゲット基地局７０１内の既存のＲＣＨのインデックスとオーバーラップしないようにＲＣＨにインデックスを割り当て、ステップ７０７において、ＲＣＨインデックスを含むレンジング割り当てメッセージをソース基地局７０３に送信する。レンジング割り当てメッセージを受信したソース基地局７０３は、ステップ７０９において、ＲＣＨインデックスを含むＨＯ−ＣＭＤメッセージを端末７０５に送信する。端末７０５は、ステップ７１１において、ＲＣＨインデックスに対応するＲＣＨを通してレンジングコードをターゲット基地局７０１に送信する。レンジングコードを受信したターゲット基地局７０１は、ステップ７１３において、レンジングコードに応じてＲＮＧ−ＲＳＰ（又はＲＮＧ−ＡＣＫ）メッセージを端末７０５に送信する。
【００６８】
本発明の実施形態によると、基地局は、ＲＣＨ割り当てを管理するＲＣＨ割り当て装置及び無線送受信信号を処理する無線信号処理装置を含むことができる。図４、図５、及び図６の動作は、基地局のＲＣＨ割り当て装置で実現することができる。ＲＣＨ割り当て装置は、制御部及び信号入力／出力（Ｉ／Ｏ）部を含むことができる。制御部は、図４、図５、及び図６のＲＣＨ割り当て方法の全体的な動作を制御し、信号Ｉ／Ｏ部は、無線信号処理装置を用いて制御部が送信又は受信を行おうとする複数のメッセージとのデータの入出力を実行する。
【００６９】
本発明の実施形態によると、端末は、基地局からのレンジング割り当てメッセージ又はＨＯ−ＣＭＤメッセージの受信を制御し、基地局へのレンジングコードの送信を制御する制御部と、制御部の制御の下に基地局とのメッセージ又は信号を送受信する信号Ｉ／Ｏ部とを含むことができる。すなわち、図３乃至図７に示す端末の動作は、端末が含む制御部及び信号Ｉ／Ｏ部により実行することができる。
【００７０】
図２のＲＣＨ割り当てフレーム構造、図３及び図７に示すメッセージフロー、及び図４、図５、及び図６に示すフローチャートは、本発明の範囲及び趣旨を限定するものとして解釈されてはいけない。すなわち、図３乃至図７のリソース割り当て方法は、ＲＣＨ割り当て装置（図示せず）及び端末（図示せず）で動作する構成を例示するだけである。これらの方法は、すべてのステップを含むというわけではないし、特定の構成部により個別に実行されなくてもよい。これらは、１つの装置又は構成要素によって実行することもできる。
【００７１】
上述した動作は、対応するプログラムコードを記憶するメモリを制御部又は端末内の任意の構成部に提供することにより実現することができる。すなわち、制御部又は端末の各構成部は、プロセッサ又はＣＰＵ（Central Processing Unit）を用いてメモリからプログラムコードを読み出し、このプログラムコードを実行することにより動作を実行することができる。
【００７２】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【００７３】
１０１、１２１、２０１、２０５  ダウンリンク
１０３、１２３、２０３、２０７  アップリンク
１０５、２０９  ＳＦＨ
１０７  ＨＯ−ＣＭＤ
１０９、１１１、２１１、２１３  ＭＡＰ
１１３、１１５、１１７、１１９、２２１、２２３、２２５、２２７、２２９、２３１  ＲＣＨ
２１５、２１７、２１９  インデックス
【図１】
0005610653.tif 000003
【図２】
0005610653.tif 000004
【図３】
0005610653.tif 000005
【図４】
0005610653.tif 000006
【図５】
0005610653.tif 000007
【図６】
0005610653.tif 000008
【図７】
0005610653.tif 000009